(57)【要約】      （修正有）【課題】使い勝手に優れ、使用中でも外観の悪化や騒音の発生を引き起こすことなく、冷却性能にも優れた身体装着型冷房装置を提供する。【解決手段】装着者からの操作指示の入力を受け付ける操作入力部であるコントローラ３０と、ペルチェ素子で構成され、装着者の所定の部位を冷却する冷却部として、肩冷却部１１と腰冷却部１２と、コントローラ３０からの指示に基づいて肩冷却部１１および腰冷却部１２への通電を制御する本体制御部１０と、本体制御部１０と肩冷却部１１および腰冷却部１２とを接続する接続部１３、１４と、本体制御部１０が装着者の背中の中心に位置するように、本体制御部１０と肩冷却部１１および腰冷却部１２と接続部１３、１４とを装着者の身体に装着させる装着部材の身体装着用ベルト４０とを備える。【選択図】図１
0003228347.tif 000002
【実用新案登録請求の範囲】
【請求項１】
身体に装着して所定の部位を冷却する身体装着型冷房装置であって、
装着者からの操作指示の入力を受け付ける操作入力部と、
ペルチェ素子で構成され、装着者の所定の部位を冷却する冷却部と、
操作入力部からの指示に基づいて冷却部への通電を制御する本体制御部と、
本体制御部と冷却部とを接続する接続部と、
本体制御部が装着者の背中の中心に位置するように、本体制御部と冷却部と接続部とを装着者の身体に装着させる装着部材とを備える
ことを特徴とする身体装着型冷房装置。
【請求項２】
前記接続部は、可撓性を有する素材で形成されている
ことを特徴とする請求項１記載の身体装着型冷房装置。
【請求項３】
前記接続部は、内部に貫通部を有し、
前記貫通部が、冷却部からの排熱を通過させる貫通部と、本体制御部から冷却部への通電のための配線を通過させる貫通部とに区分けされている
ことを特徴とする請求項１又は２に記載の身体装着型冷房装置。
【請求項４】
前記冷却部は、装着者の左右の肩部をそれぞれ冷却する肩冷却部と、装着者の左右の腰部をそれぞれ冷却する腰冷却部とで構成され、
前記本体制御部と左右の腰冷却部とを接続する接続部は、本体制御部の下方に向かって延出する第１接続部と、第１接続部の端部から逆Ｔ字状の継手部材を介して左右方向へ向かって延出する第２接続部とで構成されている
ことを特徴とする請求項１〜３のいずれか１項に記載の身体装着型冷房装置。
【考案の詳細な説明】
【技術分野】
【０００１】
本考案は、身体に装着して使用する冷房装置に関する。
【背景技術】
【０００２】
近年、異常気象の影響等もあり、熱中症の罹患者が増加傾向にある。熱中症罹患を原因とした事故の発生や死亡者も発生している。昨今の新型コロナウィルスの感染防止対策のため、マスクやフェイスシールド等を装着する必要があることから、熱中症の罹患者が増加することも予想されている。
【０００３】
熱中症対策としてこれまでに種々の提案がなされている。例えば、夏季などの暑い時期や工場等で高温環境下において作業に従事する作業者の熱中症対策を目的として、身体を冷却するために、送風ポンプからの風をホースを介して作業服の中に送り込む空冷装置やファン装置を備えた空調服等が提案されている。
【０００４】
例えば、特許文献１では、外部の空気を取り込むファンを備えてなる空調服であって、空調服が表地と裏地を有しており、空調服の表地と裏地との間の空間に空気の流れを強制的に生じさせることが可能であることを特徴とする空調服が開示されている。
【先行技術文献】
【特許文献】
【０００５】
【特許文献１】特開２０１８−１６８４８５号公報
【考案の概要】
【考案が解決しようとする課題】
【０００６】
しかしながら、送風ポンプからの風をホースによって作業服内に送り込む空冷装置では、送風ポンプとホースとによって移動が制限される等の使い勝手が悪いという問題がある。
【０００７】
また、空冷装置でもファン装置を備えた空調服でも、装置が生じさせた風が服を膨らませるので、使用中は見栄えが悪くなるという問題があるとともに、送風ポンプの機械音やファンの回転音が大きく耳障りになるという問題がある。
【０００８】
さらに、送風のみでは冷却性能に限界があり、そもそも大して冷やすことはできないという問題がある。
【０００９】
そこで、本考案は、このような問題に鑑みなされたものであり、使い勝手に優れ、使用中でも外観の悪化や騒音の発生を引き起こすことなく、冷却性能にも優れた身体装着型冷房装置を提供することを目的とする。
【課題を解決するための手段】
【００１０】
上記課題を解決するために、本考案に係る身体装着型冷房装置は、身体に装着して所定の部位を冷却する身体装着型冷房装置であって、装着者からの操作指示の入力を受け付ける操作入力部と、ペルチェ素子で構成され、装着者の所定の部位を冷却する冷却部と、操作入力部からの指示に基づいて冷却部への通電を制御する本体制御部と、本体制御部と冷却部とを接続する接続部と、本体制御部が装着者の背中の中心に位置するように、本体制御部と冷却部と接続部とを装着者の身体に装着させる装着部材とを備えることを特徴とする。
【００１１】
ここで、前記接続部は、可撓性を有する素材で形成されているのが好ましい。
【００１２】
また、前記接続部は、内部に貫通部を有し、前記貫通部が、冷却部からの排熱を通過させる貫通部と、本体制御部から冷却部への通電のための配線を通過させる貫通部とに区分けされているのが好ましい。
【００１３】
さらに、前記冷却部は、装着者の左右の肩部をそれぞれ冷却する肩冷却部と、装着者の左右の腰部をそれぞれ冷却する腰冷却部とで構成され、前記本体制御部と左右の腰冷却部とを接続する接続部は、本体制御部の下方に向かって延出する第１接続部と、第１接続部の端部から逆Ｔ字状の継手部材を介して左右方向へ向かって延出する第２接続部とで構成されているのが好ましい。
【考案の効果】
【００１４】
以上のように、本考案に係る身体装着型冷房装置によれば、本体制御部とペルチェ素子を用いた冷却部とを、可撓性を有する素材で形成された接続部で連結して本体部とし、この本体部を装着部材で身体に装着可能にしているので、容易に装着することができて、使い勝手に優れている。また、冷却部としてペルチェ素子を用いることで、使用中の外観の悪化やファンによる騒音の発生を引き起こすことがなく、優れた冷却性能を発揮することができる。
【図面の簡単な説明】
【００１５】
【図１】本考案の実施形態の冷却ショルダーの概略構成を示す図である。
【図２】冷却ショルダーの本体部の構成を示す斜視図である。
【図３】接続部の構成を示す斜視図である。
【図４】冷却ショルダーを装着した状態を示す図である。
【図５】冷却ショルダーを装着した状態を示す図である。
【考案を実施するための形態】
【００１６】
以下、本考案の実施形態について図面を参照しながら説明する。
【００１７】
図１は、本考案の実施形態の冷却ショルダーの概略構成を示す図である。図２は、冷却ショルダー１の本体部の構成を示す斜視図である。
【００１８】
冷却ショルダー１は、身体に装着して所定の部位を冷却する身体装着型の冷房装置であり、本体制御部１０と、肩冷却部１１と、腰冷却部１２と、接続部１３，１４と、電源２０と、コントローラ３０と、身体装着用ベルト４０とを備えている。
【００１９】
本体制御部１０は、冷却ショルダー１を構成する各部への通電や各部の動作の制御等を行う制御装置であり、着用者が冷却ショルダー１を装着した際には着用者の背中の中心に配置される。本体制御部１０は、電源２０およびコントローラ３０と有線で接続されており、電源２０から電力の供給を受け、コントローラ３０からはユーザである着用者からの操作指示を受け、各部への通電やユーザの操作に基づく各部の制御を行う。この本体制御部１０には、上辺等に開口部が設けられており（図示せず）、その開口部から装置内の熱を排熱させるようになっている。
【００２０】
電源２０は、本体制御部１０へ電力を供給する電源部である。電源２０は、電力供給時に発熱することがあるので、電源２０の異常温度を検出するセンサを備えるようにし、異常温度を検出したときにユーザへ通知する通知手段（ランプの明滅や警告音など）を備えているのが好ましい。電源２０は、冷却ショルダー１の着用時に着用者の衣服のポケットに収納したり、衣服に取り付けたりするので小型化するのが好ましい。例えば、20,000mA/h以上の性能を有するモバイル用バッテリー等を用いることができる。
【００２１】
コントローラ３０は、ユーザの操作指示の入力を受け付ける操作入力部であり、装置全体のON/OFFや、各冷却部のON/OFF、温度の上下調整、例えばエコモードのように電源２０から本体制御部１０への電力供給量の調整等といったユーザの操作指示の入力を受け付ける。コントローラ３０は、着用時に着用者の衣服のポケットに収納したり、衣服に取り付けたりするので小型化するのが好ましく、また、ユーザインターフェースを簡略にするために、装置全体の動作ボタンと温度調整用のボタンだけのような簡易な構成にしてもよい。なお、ここでは、本体制御部１０とコントローラ３０とを有線接続としているが、無線接続であってもよい。
【００２２】
身体装着用ベルト４０は、冷却ショルダー１を着用者の身体に装着できるようにするための部材である。身体に装着できるようにするものであれば紐状の部材等であってもよいが、身体への食い込みや装着時の安定性を考慮すると、図示しているベルト部材とするのが好ましいといえる。なお、いずれの部材であっても、着用者の体型に合わせて長さを調整できるようにしておくのが好ましい。
【００２３】
肩冷却部１１は、着用者の肩に接触して冷却する部材であり、着用者の背側の両肩辺りにそれぞれ配置される。肩冷却部１１は、ペルチェ素子を用いた電子冷却装置であり、ペルチェ素子（ペルチェモジュール）に直流電圧を印加して生じるペルチェ効果によって着用者の肩を冷却する。
【００２４】
腰冷却部１２は、着用者の腰回りに接触して冷却する部材であり、着用者の背側の両腰辺りにそれぞれ配置される。腰冷却部１２も、ペルチェ素子を用いた電子冷却装置であり、ペルチェ素子に直流電圧を印加して生じるペルチェ効果によって着用者の腰回りを冷却する。
【００２５】
接続部１３と接続部１４は、本体制御部１０と肩冷却部１１、本体制御部１０と腰冷却部１２とを接続するホース部材である。本体制御部１０と肩冷却部１１とを接続する接続部１４は、本体制御部１０の左右それぞれ斜め上方に向かって肩冷却部１１が着用者の両肩に位置するように本体制御部１０から延出している。本体制御部１０と腰冷却部１２とを接続する接続部１３および接続部１４は、まず本体制御部１０の下方に向かって接続部１３が延出し、延出した接続部１３の端部から逆Ｔ字状の継手部材を介して接続部１４が着用者の腰部で左右方向へ向かい、腰冷却部１２が着用者の両腰に位置するように延出する構成となっている。接続部１３と接続部１４そのものの構成については、後に詳述する。
【００２６】
肩ベルト接続部１５は、肩冷却部１１の一方の端部にあり、身体装着用ベルト４０の肩回りのベルト端部と接続するためのベルト通しである。なお、肩冷却部１１の他方の端部は、接続部１４に接続されている。
【００２７】
腰ベルト接続部１６は、腰冷却部１２の一方の端部にあり、身体装着用ベルト４０の腰回りのベルト端部と接続するためのベルト通しである。なお、腰冷却部１２の他方の端部は、接続部１４に接続されている。
【００２８】
図３は、接続部１３および接続部１４の構成を示す斜視図である。
【００２９】
接続部１３および接続部１４は、内部に長さ方向に貫通した空洞（貫通部）として、それぞれ区分けされた排熱ライン１７とコードライン１８とを備えており、可撓性を有する素材（例えば、合成樹脂など）で形成されている。接続部１３および接続部１４が可撓性を有することにより、屈んだり、身体を捻ったりといった着用者の動きに対して追従させることができ、着用時の快適性に資するものとなる。また、内部に長さ方向に貫通した空洞があることで、素材固有の可撓性によらずとも接続部１３および接続部１４は、一定の可撓性を有することになる。
【００３０】
排熱ライン１７は、装置内で生じた熱気を装置外へ排熱するための通り道として設けられている空洞である。装置内で生じる熱気は、主に肩冷却部１１と腰冷却部１２において発生する。ペルチェ素子に電流が流れることで発熱するからである。排熱ライン１７を通して、肩冷却部１１と腰冷却部１２において生じた熱は本体制御部１０へ導かれ、本体制御部１０の開口部から排熱されることになる。
【００３１】
コードライン１８は、本体制御部１０から肩冷却部１１および腰冷却部１２への通電のための配線（通電用コード）を通すために設けられている空洞である。排熱ライン１７とコードライン１８とを仕切って別の空洞とすることで、通電用コードが熱に晒されることがなくなり、通電用コードの早期劣化を抑制することができる。
【００３２】
なお、接続部１３は、２つある腰冷却部１２からの排熱と通電用コードとを通す必要があるため、接続部１４に比べて幅広の構成となっている。また、接続部１３と接続部１４とを接続する逆Ｔ字状の継手部材も、内部に排熱と通電用コードとを通すための貫通部（空洞）が設けられている。
【００３３】
このように構成された冷却ショルダー１は、図４および図５に示すように、装着者の身体に装着して使用する。
【００３４】
図４は、冷却ショルダー１を装着した状態を装着者の左後方から見た図であり、図５は、冷却ショルダー１を装着した状態を装着者の右前方から見た図である。
【００３５】
着用者は、冷却ショルダー１の身体装着用ベルト４０に両腕を通して、冷却ショルダー１を背負うようにして装着する。このとき、本体制御部１０が着用者の背中の中心に位置するようになっている。身体装着用ベルト４０を着用者の正面側に配置されているバックル等の留め具４１で留めれば冷却ショルダー１の装着が完了する。ここでは、留め具４１を着用者の正面側のお腹付近に配置しているが、胸部付近に留め具４１を設けても良いし、複数の留め具４１を設けてもよい。
【００３６】
また、身体装着用ベルト４０や本体制御部１０等の着用者の身体と接触する部位に着用者の体温や心拍を測定するセンサを取り付けて、着用者の体温や心拍に応じて肩冷却部１１および腰冷却部１２の冷却具合を本体制御部１０において制御するように構成してもよい。
【００３７】
このように、本実施形態の冷却ショルダーによれば、本体制御部とペルチェ素子を用いた冷却部とを、可撓性を有する素材で形成された接続部で連結して本体部を構成し、この本体部を背負って身体装着用ベルトで身体に装着できるようにしているので、装着が容易で使い勝手に優れたものとなっている。また、冷却部はペルチェ素子を用いたものであるから、冷却性能にも優れており、使用中でも外観の悪化を招いたり、ファンによる騒音の発生を引き起こしたりすることもない。
【００３８】
以上、本考案に係る身体装着型冷暖房装置について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３９】
例えば、上記実施の形態では、冷却ショルダーを例に説明したが、上述したように、ペルチェ素子に電流が流れると、一方の面が吸熱、すなわち冷却されて、他方の面は放熱、すなわち、加熱されることになるので、コントローラで通電を切り替える操作を受け付けて、その操作指示に基づいて本体制御部で各冷却部への通電を切り替えることで各冷却部を暖房部へ変更可能にした冷暖房ショルダー、つまり、身体装着型の冷暖房装置として構成することもできる。
【００４０】
また、上記実施の形態では、肩冷却部と腰冷却部とによって、肩と腰とを冷却する例を説明したが、冷却する部位は肩と腰だけに限られるものではなく、左右の脇下や脇腹などのその他の部位を冷却するよう冷却部を配置してもよい。
【００４１】
さらに、上記実施の形態では、電源を本体制御部とは別個独立したものとしたが、本体制御部内に電源を含むような構成としてもよい。
【産業上の利用可能性】
【００４２】
本考案は、身体に装着して使用する身体装着型冷房装置として適用可能である。
【符号の説明】
【００４３】
１    冷却ショルダー
１０  本体制御部
１１  肩冷却部
１２  腰冷却部
１３，１４  接続部
１５  肩ベルト接続部
１６  腰ベルト接続部
１７  排熱ライン
１８  コードライン
２０  電源
３０  コントローラ
４０  身体装着用ベルト
４１  留め具
【図１】
0003228347.tif 000003
【図２】
0003228347.tif 000004
【図３】
0003228347.tif 000005
【図４】
0003228347.tif 000006
【図５】
0003228347.tif 000007